(57)【要約】【課題】プラズマディスプレイパネルを提供する。【解決手段】一対の基板２０１，２０２、放電電極２０６，２０７、及びアドレス電極２０３を備えるＰＤＰ２００である。前記一対の基板２０１，２０２は、所定間隔離隔されて相互対向するように配置されて相互対向する面間に複数の放電空間を形成する。前記放電電極２０６，２０７は、基板２０１，２０２間に基板方向に互いに所定間隔離隔されて配置される。前記アドレス電極２０３は、基板方向に放電電極２０６，２０７から所定間隔離隔されて配置されて、放電電極２０６，２０７に対してそれぞれの放電空間を形成する。本発明によるＰＤＰ２００は、アドレス電極２０３とＹ電極間２０６の距離を短縮して低電圧及び高速駆動が可能である。【選択図】図３
2005166654.tif 000002
【特許請求の範囲】
【請求項１】
所定間隔離隔されて相互対向するように配置されて相互対向する面間に複数の放電空間を形成する一対の基板と、
前記基板間に前記基板方向に互いに所定間隔離隔されて配置される放電電極と、
前記基板方向に前記放電電極から所定間隔離隔されて配置され、前記放電電極に対してそれぞれの前記放電空間を形成するアドレス電極と、を備えるプラズマディスプレイパネル。
【請求項２】
前記放電電極及び前記アドレス電極が前記基板に対して平行した方向に配置されることを特徴とする請求項１に記載のプラズマディスプレイパネル。
【請求項３】
前記放電電極及び前記アドレス電極が前記基板に対して垂直な方向に配置されることを特徴とする請求項１に記載のプラズマディスプレイパネル。
【請求項４】
前記放電電極が、前記アドレス電極との間にアドレス放電を起こして前記放電空間中で発光しようとする放電空間を選択するＹ電極と、前記Ｙ電極との間に維持放電を起こすＸ電極と、を備えることを特徴とする請求項１に記載のプラズマディスプレイパネル。
【請求項５】
前記Ｘ電極、前記Ｙ電極、及び前記アドレス電極が、前記基板間に前記Ｘ電極、前記Ｙ電極、及び前記アドレス電極の順序で配置されることを特徴とする請求項４に記載のプラズマディスプレイパネル。
【請求項６】
前記Ｘ電極、前記Ｙ電極、及び前記アドレス電極が、前記基板間に前記Ｘ電極、前記アドレス電極、及び前記Ｙ電極の順序で配置されることを特徴とする請求項４に記載のプラズマディスプレイパネル。
【請求項７】
所定間隔離隔されて相互対向する前面基板及び背面基板と、
前記前面基板と前記背面基板間に形成された空間を複数の放電空間に区画する少なくとも一つ以上の隔壁と、
前記隔壁に前記前面基板から前記背面基板に向かう基板方向に所定間隔離隔されて平行に配置される放電電極と、
前記放電電極から前記基板方向に所定間隔離隔されて配置され、前記放電電極に対してそれぞれの前記放電空間を形成するアドレス電極と、を備えるプラズマディスプレイパネル。
【請求項８】
前記放電電極及び前記アドレス電極が前記基板方向に平行に配置されることを特徴とする請求項７に記載のプラズマディスプレイパネル。
【請求項９】
前記放電電極及び前記アドレス電極が前記前面基板及び前記背面基板に対して垂直な方向に配置されることを特徴とする請求項７に記載のプラズマディスプレイパネル。
【請求項１０】
前記放電電極及び前記アドレス電極が前記隔壁上の前記放電空間に向かう面に配置されることを特徴とする請求項７に記載のプラズマディスプレイパネル。
【請求項１１】
前記放電電極及び前記アドレス電極が配置される前記隔壁上に塗布され、前記電極間の直接的な電荷移動を防止する誘電層をさらに備えることを特徴とする請求項１０に記載のプラズマディスプレイパネル。
【請求項１２】
前記誘電層上に形成されて誘電層を保護する保護層をさらに備えることを特徴とする請求項１１に記載のプラズマディスプレイパネル。
【請求項１３】
前記放電電極が、前記アドレス電極との間にアドレス放電を起こして前記放電空間中で発光しようとする放電空間を選択するＹ電極と、前記Ｙ電極との間に維持放電を起こすＸ電極と、を備えることを特徴とする請求項７に記載のプラズマディスプレイパネル。
【請求項１４】
前記Ｘ電極、前記Ｙ電極、及び前記アドレス電極が、前記隔壁上の前記放電空間に向かう面に前記前面基板から前記背面基板方向に前記Ｘ電極、前記Ｙ電極、及び前記アドレス電極の順序で配置されることを特徴とする請求項１３に記載のプラズマディスプレイパネル。
【請求項１５】
前記Ｘ電極、前記Ｙ電極、及び前記アドレス電極が、前記隔壁上の前記放電空間に向かう面に前記前面基板から前記背面基板方向に前記アドレス電極、前記Ｙ電極、及び前記Ｘ電極の順序で配置されることを特徴とする請求項１３に記載のプラズマディスプレイパネル。
【請求項１６】
前記Ｘ電極、前記Ｙ電極、及び前記アドレス電極が、前記隔壁上の前記放電空間に向かう面に前記前面基板から前記背面基板方向に前記Ｘ電極、前記アドレス電極、及び前記Ｙ電極の順序で配置されることを特徴とする請求項１３に記載のプラズマディスプレイパネル。
【請求項１７】
前記Ｘ電極、前記Ｙ電極、及び前記アドレス電極が、前記隔壁上の前記放電空間に向かう面に前記前面基板から前記背面基板方向に前記Ｙ電極、前記アドレス電極、及び前記Ｘ電極の順序で配置されることを特徴とする請求項１３に記載のプラズマディスプレイパネル。
【請求項１８】
所定間隔離隔されて相互対向する一対の基板と、
前記基板間に形成された空間を複数の放電空間に区画する少なくとも一つ以上の隔壁と、
前記隔壁に前記基板方向に所定間隔離隔されて平行に配置される放電電極と、
前記放電電極と前記基板方向に所定間隔離隔されて平行に配置されて、前記放電電極に対してそれぞれの前記放電空間を形成するアドレス電極と、
前記放電電極及び前記アドレス電極が配置される前記隔壁上に塗布される誘電層と、
前記誘電層上に形成されて誘電層を保護する保護層と、
前記放電空間の内部に蛍光体が塗布されて形成される蛍光体層と、を備えるプラズマディスプレイパネル。
【請求項１９】
前記放電電極及び前記アドレス電極が、前記隔壁上の前記放電空間に向かう面に配置されることを特徴とする請求項１８に記載のプラズマディスプレイパネル。
【請求項２０】
前記放電電極が、前記アドレス電極との間にアドレス放電を起こして前記放電空間中で発光しようとする放電空間を選択するＹ電極と、前記Ｙ電極との間に維持放電を起こすＸ電極と、を備えることを特徴とする請求項１８に記載のプラズマディスプレイパネル。
【請求項２１】
前記Ｘ電極、前記Ｙ電極、及び前記アドレス電極が、前記基板間に前記Ｘ電極、前記Ｙ電極、及び前記アドレス電極の順序で配置されることを特徴とする請求項２０に記載のプラズマディスプレイパネル。
【請求項２２】
前記Ｘ電極、前記Ｙ電極、及び前記アドレス電極が、前記基板間に前記Ｘ電極、前記アドレス電極、及び前記Ｙ電極の順序で配置されることを特徴とする請求項２０に記載のプラズマディスプレイパネル。
【請求項２３】
所定間隔離隔されて相互対向する前面基板及び背面基板と、
前記前面基板と前記背面基板間に形成された空間を複数の放電空間に区画する少なくとも一つ以上の隔壁と、
前記隔壁の内部に前記前面基板から前記背面基板に向かう基板方向に所定間隔離隔されて平行に配置される放電電極と、
前記隔壁内部に前記放電電極から前記基板方向に所定間隔離隔されて配置され、前記放電電極に対してそれぞれの前記放電空間を形成するアドレス電極と、
前記放電空間の内部に蛍光体が塗布されて形成される蛍光体層と、を備えるプラズマディスプレイパネル。
【請求項２４】
前記放電電極が、前記アドレス電極との間にアドレス放電を起こして前記放電空間中で発光しようとする放電空間を選択するＹ電極と、前記Ｙ電極との間に維持放電を起こすＸ電極と、を備えることを特徴とする請求項２３に記載のプラズマディスプレイパネル。
【請求項２５】
前記Ｘ電極、前記Ｙ電極、及び前記アドレス電極が、
前記前面基板及び前記背面基板間に前記Ｘ電極、前記Ｙ電極、及び前記アドレス電極の順序で配置されることを特徴とする請求項２４に記載のプラズマディスプレイパネル。
【請求項２６】
前記Ｘ電極、前記Ｙ電極、及び前記アドレス電極が、
前記前面基板及び前記背面基板間に前記Ｘ電極、前記アドレス電極、及び前記Ｙ電極の順序で配置されることを特徴とする請求項２４に記載のプラズマディスプレイパネル。
【請求項２７】
所定間隔離隔されて相互対向する前面基板及び背面基板と、
前記前面基板と前記背面基板間に形成された空間を複数の放電空間に区画する少なくとも一つ以上の隔壁と、
前記隔壁上の前記前面基板方向に延びた位置に前記前面基板から前記隔壁に向かう方向に所定間隔離隔されて平行に配置される放電電極と、
前記放電電極から前記基板方向に所定間隔離隔されて配置され、前記放電電極に対してそれぞれの前記放電空間を形成するアドレス電極と、
前記放電空間の内部に蛍光体が塗布されて形成される蛍光体層と、を備えるプラズマディスプレイパネル。
【請求項２８】
前記隔壁と前記前面基板間に前記隔壁から前記前面基板方向に延びて形成される上部側壁をさらに備え、前記放電電極及び前記アドレス電極が前記上部側壁の内部に配置されることを特徴とする請求項２７に記載のプラズマディスプレイパネル。
【請求項２９】
前記上部側壁は前記放電電極が埋め込まれる誘電体より形成され、前記上部側壁の外面に保護膜が形成されることを特徴とする請求項２８に記載のプラズマディスプレイパネル。
【請求項３０】
前記放電電極が、前記アドレス電極との間にアドレス放電を起こして前記放電空間中で発光しようとする放電空間を選択するＹ電極と、前記Ｙ電極との間に維持放電を起こすＸ電極と、を備えることを特徴とする請求項２８に記載のプラズマディスプレイパネル。
【請求項３１】
前記Ｘ電極、前記Ｙ電極、及び前記アドレス電極が、前記前面基板及び前記背面基板間に前記Ｘ電極、前記Ｙ電極、及び前記アドレス電極の順序で配置されることを特徴とする請求項３０に記載のプラズマディスプレイパネル。
【請求項３２】
前記Ｘ電極、前記Ｙ電極、及び前記アドレス電極が、前記前面基板及び前記背面基板間に前記Ｘ電極、前記アドレス電極、及び前記Ｙ電極の順序で配置されることを特徴とする請求項３０に記載のプラズマディスプレイパネル。
【請求項３３】
請求項１ないし３２のうち何れか１項に記載のプラズマディスプレイパネルを備える平板表示装置。
【発明の詳細な説明】
【技術分野】
【０００１】
本発明はプラズマディスプレイパネルに係り、さらに詳細にはアドレス電極とＹ電極間の距離を短縮して低電圧及び高速駆動が可能なプラズマディスプレイパネルに関する。
【背景技術】
【０００２】
最近、平板ディスプレイ装置としてプラズマディスプレイパネル（ＰＤＰ：Ｐｌａｓｍａ Ｄｉｓｐｌａｙ Ｐａｎｅｌ）を採用した装置は、大画面を有しつつも、高画質、超薄型、軽量化及び光視野角の優秀な特性を有しており、他の平板ディスプレイ装置に比べて製造方法が簡単で大型化が容易であって、次世代大型平板ディスプレイ装置として脚光を浴びている。
【０００３】
図１は、通常的な３電極面放電方式のＰＤＰの構造を示す内部斜視図である。図２は、図１のパネルの単位ディスプレイセルの構成を示す断面図である。
【０００４】
図面を参照すれば、通常的な面放電ＰＤＰ １の前方及び後方のガラス基板１０，１３間には、アドレス電極ラインＡＲ１，ＡＧ１，．．，ＡＧｍ，ＡＢｍ、誘電層１１，１５、Ｙ電極ラインＹ１，．．．，Ｙｎ、Ｘ電極ラインＸ１，．．．，Ｘｎ、蛍光層１６、隔壁１７及び保護層としての一酸化マグネシウム（ＭｇＯ）層１２が設けられている。
【０００５】
アドレス電極ラインＡＲ１，ＡＧ１，．．，ＡＧｍ，ＡＢｍは、後方のガラス基板１３の前方に一定のパターンで形成される。下方の誘電層１５は、アドレス電極ラインＡＲ１，ＡＧ１，．．，ＡＧｍ，ＡＢｍの前方で全面塗布される。下方の誘電層１５の前方には隔壁１７がアドレス電極ラインＡＲ１，ＡＧ１，．．，ＡＧｍ，ＡＢｍと平行した方向に形成される。この隔壁１７は、各放電セルの放電領域を区画し、各放電セル間の光学的干渉を防止する機能を行う。蛍光層１６は、隔壁１７間で形成される。
【０００６】
Ｘ電極ラインＸ１，．．．，ＸｎとＹ電極ラインＹ１，．．．，Ｙｎとは、アドレス電極ラインＡＲ１，ＡＧ１，．．，ＡＧｍ，ＡＢｍと直交するように前方のガラス基板１０の後方に一定のパターンで形成される。各交差点は相応する放電セルを設定する。各Ｘ電極ラインＸ１，．．．，Ｘｎと各Ｙ電極ラインＹ１，．．．，Ｙｎとは、ＩＴＯ（Ｉｎｄｉｕｍ Ｔｉｎ Ｏｘｉｄｅ）のような透明な導電性材質の透明電極ラインと伝導度を高めるための金属電極ラインとが結合されて形成される。前方の誘電層１１は、Ｘ電極ラインＸ１，．．．，ＸｎとＹ電極ラインＹ１，．．．，Ｙｎとの後方に全面塗布されて形成される。強い電界からパネル１を保護するための保護層１２、例えば、一酸化マグネシウム（ＭｇＯ）層は前方の誘電層１１の後方に全面塗布されて形成される。放電空間１４にはプラズマ形成用ガスが密封される。
【０００７】
しかし、図１に示されたように、このような３電極面放電ＰＤＰを含む従来の面放電ＰＤＰ １は、前面基板１０にＸ電極ラインＸ１，．．．，Ｘｎ、Ｙ電極ラインＹ１，．．．，Ｙｎ、及びその上に順次に形成された誘電体１１及び保護層１２が存在している。ここで、放電時に放電空間の蛍光体１６から発光した可視光線が前面基板１０を通過するが、前記前面基板１０に形成された多様な構成要素によって可視光線の透過率が６０％しかならない重大な問題点を有している。
【０００８】
また、従来の面放電ＰＤＰ １では、放電を起こす電極が放電空間の上面、すなわち可視光線が通過する前面基板１０の内面に形成されて、放電がその内面で発生して広がるので、従来の面放電ＰＤＰ １では発光効率が低くなる本質的な問題点を有している。
【０００９】
さらに、従来の面放電ＰＤＰ １では、長時間使用する場合、放電ガスの荷電粒子が電界によって蛍光体にイオンスパッタリングを起こすことによって永久残像をもたらすという問題点があった。
【００１０】
また、通常のＰＤＰ １では、後方のガラス基板１３にアドレス電極ＡＧｍが形成されてＸ電極ラインＸｎ及びＹ電極ラインＹｎとアドレス電極ＡＧｍ間の距離が約１３０〜１６０μｍほどになる。したがって、アドレス周期に選択しようとする放電セルを通過するアドレス電極に印加されるアドレス電圧は６０〜８０Ｖ、Ｙ電極に印加されるスキャン電圧は−６０〜−８０Ｖほどとアドレス電極とＹ電極間に非常に大きい電圧が必要であるという問題点がある。
【００１１】
この時、図２に示されたように、アドレス電極とＹ電極間の距離が隔壁１７の高さｈｗによって決定される。しかし、アドレス放電特性を向上させるために隔壁１７の高さｈｗを低めれば、塗布される蛍光体量の減少によりパネルの全体輝度が低下する問題点がある。すなわち、隔壁の高さｈｗを１０μｍほど低めれば、パネル全体の輝度は５〜１０％ほど低下する。
【発明の開示】
【発明が解決しようとする課題】
【００１２】
本発明は前記問題点を解決するためのものであって、アドレス電極とＹ電極間の距離を短縮して低電圧及び高速駆動が可能なＰＤＰを提供することを目的とする。
【課題を解決するための手段】
【００１３】
前記目的を達成するために、本発明は、所定間隔離隔されて相互対向するように配置されて、相互対向する面間に複数の放電空間を形成する一対の基板と、前記基板間に前記基板方向に互いに所定間隔離隔されて配置される放電電極と、前記基板方向に前記放電電極から所定間隔離隔されて配置され、前記放電電極に対してそれぞれの前記放電空間を形成するアドレス電極と、を備えるＰＤＰを提供する。
【００１４】
本発明の他の側面によれば、本発明は所定間隔離隔されて相互対向する前面基板及び背面基板と、前記前面基板と前記背面基板間に形成された空間を複数の放電空間に区画する少なくとも一つ以上の隔壁と、前記隔壁に前記前面基板から前記背面基板に向かう基板方向に所定間隔離隔されて平行に配置される放電電極と、前記放電電極から前記基板方向に所定間隔離隔されて配置され、前記放電電極に対してそれぞれの前記放電空間を形成するアドレス電極と、を備えるＰＤＰを提供する。
【００１５】
本発明のさらに他の側面によれば、本発明は、所定間隔離隔されて相互対向する一対の基板と、前記基板間に形成された空間を複数の放電空間に区画する少なくとも一つ以上の隔壁と、前記隔壁に前記基板方向に所定間隔離隔されて平行に配置される放電電極と、前記放電電極と前記基板方向に所定間隔離隔されて平行に配置されて、前記放電電極に対してそれぞれの前記放電空間を形成するアドレス電極と、前記放電電極及び前記アドレス電極が配置される前記隔壁上に塗布される誘電層と、前記誘電層上に形成されて誘電層を保護する保護層と、前記放電空間の内部に蛍光体が塗布されて形成される蛍光体層と、を備えるＰＤＰを提供する。
【００１６】
本発明のさらに他の側面によれば、本発明は所定間隔離隔されて相互対向する前面基板及び背面基板と、前記前面基板と前記背面基板間に形成された空間を複数の放電空間に区画する少なくとも一つ以上の隔壁と、前記隔壁の内部に前記前面基板から前記背面基板に向かう基板方向に所定間隔離隔されて平行に配置される放電電極と、前記隔壁の内部に前記放電電極から前記基板方向に所定間隔離隔されて配置されて、前記放電電極に対してそれぞれの前記放電空間を形成するアドレス電極と、前記放電空間の内部に蛍光体が塗布されて形成される蛍光体層と、を備えるＰＤＰを提供する。
【００１７】
本発明のさらに他の側面によれば、本発明は所定間隔離隔されて相互対向する前面基板及び背面基板と、前記前面基板と前記背面基板間に形成された空間を複数の放電空間に区画する少なくとも一つ以上の隔壁と、前記隔壁上の前記前面基板方向に延びた位置に前記前面基板から前記隔壁に向かう方向に所定間隔離隔されて平行に配置される放電電極と、前記放電電極から前記基板方向に所定間隔離隔されて配置されて、前記放電電極に対してそれぞれの前記放電空間を形成するアドレス電極と、前記放電空間の内部に蛍光体が塗布されて形成される蛍光体層と、を備えるＰＤＰを提供する。
【発明の効果】
【００１８】
本発明によるＰＤＰは、アドレス電極とＹ電極間の距離が短縮して低電圧及び高速駆動が可能である。また、放電ガスのうちキセノン（Ｘｅ）分圧が高い場合にも安定したアドレス放電が可能であり、高効率放電ディスプレイが可能である。
【発明を実施するための最良の形態】
【００１９】
以下、添付された図面を参照して望ましい実施例を詳細に説明する。
【００２０】
図面を参照すれば、本発明によるＰＤＰの駆動方法が適用される一実施例としてのＰＤＰ ２００は、所定間隔離隔されて相互対向する一対の基板、例えば前面基板２０１と背面基板２０２とを備える。
【００２１】
前記前面基板２０１と背面基板２０２間には複数の放電空間２２０を形成する側壁、例えば隔壁２０５が所定のパターンと配置されて設置される。前記隔壁２０５は、複数の放電空間２２０を形成しうるかぎり、多様なパターンの隔壁２０５、例えばストライプのような開放型隔壁２０５はもとより、ワッフル、マトリックス、デルタのような閉鎖型隔壁２０５よりなりうる。また、閉鎖型隔壁２０５は、放電空間２２０の横断面が、本実施例のような四角形以外にも、三角形、五角形などの多角形、または円形、楕円形に形成されうる。
【００２２】
このような隔壁２０５は、放電空間を形成する要素でもあるが、後述する放電電極２０６，２０７が設置される根拠となる要素でもある。したがって、隔壁２０５は、放電の開始、拡散がなされるように放電電極２０６，２０７が設置されうる形態であれば、いかなる形態にも形成されうる。例えば、隔壁２０５の側面２０５ａが前面基板２０１に対して垂直な方向または垂直な方向に対して何れか一方に傾いた方向に延長させることができ、側面２０５ａが、一部は一方に傾いた方向に延び、残りの一部は反対側に傾いた方向に延びる面である屈曲面に作ることもある。
【００２３】
このように隔壁２０５を多様に構成することによって、隔壁２０５の側面２０５ａに放電電極２０６，２０７を多様な形状及び形態に配置して設置でき、これにより形成される多様な放電面に対応して放電を多様に開始、拡散させる。前記背面基板２０２上には放電が開始される放電空間２２０を選択する電圧を印加できるようにそれぞれの放電空間２２０に対応するようにアドレス電極２０３が所定のパターン、例えばストライプ状に形成される。アドレス電極２０３のパターンは、必ずしもストライプ状に限定されず、放電空間２２０の形態によって多様な形態になりうる。
【００２４】
前記アドレス電極２０３は、背面基板２０２に配置されうるが、必ずしもこれに限定されず、適切な他の所、例えば前面基板２０１、隔壁２０５に配置されることもある。また、本発明において、前記アドレス電極２０３は不要でありうる。それは、放電が開始される放電空間２２０を選択する電圧は、アドレス電極２２０がないとしても放電電極２０６，２０７の適切な配置によって、例えば二つの放電電極２０６，２０７が交互するように配置することによって二つの電極２０６，２０７間に放電空間２２０を選択できる電圧を印加しうるためである。
【００２５】
特に、本実施例の図面に示されたように、背面基板２０２上ではなく、隔壁２０５上に放電電極２０６，２０７と所定間隔離隔されてこれらと平行に形成されうる。
【００２６】
本実施例では、背面誘電層は必ずしも必要な構成要素ではないが、通常のＰＤＰでのように背面基板上に形成される背面誘電層が構成要素として含まれうる。
【００２７】
前記隔壁２０５には、図６に示されたように、放電空間２２０で放電を起こす電極、例えばＸ電極２０７とＹ電極２０６とが形成されている。前記Ｘ電極２０７とＹ電極２０６とは二つの電極間に印加された電圧差による放電が互いに連結された面で開始されるように配置される。本実施例では、隔壁２０５にＸ電極２０７及びＹ電極２０６が形成されているが、本発明の場合、前記Ｘ電極２０７とＹ電極２０６とは放電空間２２０を形成する側面で面放電を発生させうるかぎり、多様な形態及び位置に配置されうる。例えば、図６に示されたように、Ｘ電極２０７とＹ電極２０６とはそれぞれ隔壁２０５の側面２０５ａでリング状に隔壁２０５の周りに沿って互いに平行に形成されうる。
【００２８】
Ｘ電極２０７とＹ電極２０６間の離隔された距離は、面放電が開始されて広がるのに適切な程度であればよいが、可能なかぎり、二つの電極間の離隔された距離を短くすることが低電圧駆動を可能にするので望ましい。Ｘ電極２０７及びＹ電極２０６の形状は、本実施例ではリング状になっているが、本発明の場合、必ずしもこれに限定されず、多様な形状になりうる。Ｘ電極２０７及びＹ電極２０６は、多様に配置されうるが、低電圧でも放電が容易に開始され、かつ容易に広がるように配置されることが望ましい。
【００２９】
例えば、放電の起こる面である放電面が可能なかぎり広くなるようにＸ電極２０７及びＹ電極２０６を配置するために、リング状のＸ電極２０７を介して、その上下にリング状のＹ電極２０６が配置され、その逆に配置されることもある。Ｘ電極２０７とＹ電極２０６とをこのように配置させば、放電の起こる面が放電空間２２０の高さ方向に拡大される効果が得られる。この場合、アドレス電極２０３とＹ電極２０６間に印加されるアドレス電圧を低めるために、Ｙ電極２０６は、アドレス電極２０３に近く位置するように、すなわち、Ｙ電極３０６を背面基板２０２側に近く配置することが望ましい。
【００３０】
また、Ｘ電極２０７とＹ電極２０６とは、相互対向する部分が放電空間２２０の側面で基板、例えば前面基板２０１に垂直な方向に配置されるように設置されることもある。すなわち、Ｘ電極２０７が放電空間２２０の側面で縦方向に配置されており、それに隣接するように所定の間隔をおいて左右両側にそれぞれＹ電極２０６が配置されることによって、Ｘ電極２０７とＹ電極２０６との相互対向する部分を前面基板２０１に垂直な方向にする。この時、各放電電極２０６，２０７は、放電空間２２０の隣接する二つの側面にわたって対称するように配置されることが望ましい。
【００３１】
このように構成された放電電極２０６，２０７によっては、放電の起こる面が放電空間２２０の周り方向に拡大される効果が得られる。これ以外にも放電電極２０６，２０７の形状及び配置は多様になされうる。前記Ｘ電極２０７及びＹ電極２０６の形成は多様な方法で、例えば、印刷法、サンドブラスト法、蒸着法でなされうる。前記Ｘ電極２０７及びＹ電極２０６は、全て隔壁２０５の上部に位置するように配置させることが望ましい。
【００３２】
前記Ｘ電極２０７及びＹ電極２０６は、互いに絶縁状態を維持しうるように、例えば、二つの電極間に側面誘電層２０８が位置するようにこれを配置することが望ましい。また、このような側面誘電層２０８は、Ｘ電極及びＹ電極２０７，２０６を覆うように隔壁２０５上に形成されることが望ましい。
【００３３】
前記側面誘電層２０８上には側面誘電層２０８を保護する層として、例えば、ＭｇＯよりなる膜を形成することが望ましい。前記側面誘電層２０８及び背面誘電層２０４、そして前面基板２０１によって形成される放電空間２２０には放電ガスから発生した紫外線によって励起されて可視光線を放出する蛍光体２１０が形成される。前記蛍光体２１０は、放電空間２２０のいずれの部位にも形成されうるが、可視光線の透過率を考慮する時に、背面基板２０２側である放電空間２２０の下部に放電空間２２０の底面２２０ａを覆い、側面２２０ｂの下部を覆うように配置させることが望ましい。
【００３４】
前記放電空間２２０にはＮｅ、Ｘｅ及びこれらの混合気体のような放電ガスが封じ込められる。本実施例を含む本発明の場合、放電面が拡大し、放電領域が拡大し、形成されるプラズマの量が増加するので、低電圧駆動が可能になる。したがって、本発明の場合、高濃度Ｘｅガスを放電ガスとして使用しても低電圧駆動が可能になるので発光効率を画期的に向上させうる。このような点は従来のＰＤＰで高濃度Ｘｅガスを放電ガスとして使用する場合、低電圧駆動が非常に難しくなる問題点を解決したことである。
【００３５】
前記放電空間２２０の上側の開放部は、前面基板２０１によって密閉される。前記前面基板２０１には、従来のＰＤＰの前面基板に存在するＩＴＯ膜よりなる放電電極やバス電極、これらを覆うように前面基板に形成される誘電層が存在しなくなる。したがって、本実施例を含む本発明の場合、前面基板２０１の開口率を大幅向上させうることはもとより、可視光線の透過率を９０％まで画期的に向上させて低電圧駆動を具現することによって発光効率を極大化させうる。前記前面基板２０１の材質としては、透明なものであれば、何なるものでもよく、例えば、ガラスよりなりうる。
【００３６】
図３ないし図６のＰＤＰを通常の駆動方法による維持放電周期での放電現象を説明すれば、次の通りである。
【００３７】
まず、外部の電源から前記アドレス電極２０３とＹ電極２０６間に所定のアドレス電圧が印加されれば、発光する放電空間２２０が選択され、選択された放電空間２２０のＹ電極２０６上に壁電荷が蓄積される。
【００３８】
次いで、Ｘ電極２０７に＋電圧が印加され、Ｙ電極２０６にこれより相対的に低い電圧が印加されれば、このようなＸ電極２０７とＹ電極２０６間に印加された電圧差によって壁電荷が移動する。この壁電荷の移動によって放電空間２２０内の放電ガス原子と衝突しつつ放電を起こしてプラズマを生成させ、このような放電は相対的に強い電界が形成されるＸ電極２０７とＹ電極２０６との相互隣接した部分から発生する可能性が高くなる。
【００３９】
本実施例の場合、Ｘ電極２０７とＹ電極２０６との相互隣接した部分が放電空間２２０の側面に沿って形成されているので、放電電極の相互隣接した部分が放電空間の上面にだけ形成されている従来の技術に比べて、放電の発生可能性が大幅大きくなる。経時的に二つの電極間の電圧差を依然として十分に大きく維持させれば、二つの電極の面間に形成された電界が次第に強く集中することによって、放電が放電空間２２０の全体に拡散される。本実施例での放電は、放電空間２２０の４つの側面でリング状に発生して中央部に拡散される一方、従来の技術での放電は、放電空間２２０の一つの上面で発生して中央部に拡散されるので、本実施例での放電は、従来の技術での放電に比べてその拡散範囲が大幅拡大される。
【００４０】
また、本実施例で放電によって発生するプラズマは、放電空間２２０の側面に沿ってリング状に形成されて中央部に拡散されるので、その体積が大幅増大して可視光線の量が大幅増加し、プラズマが放電空間２２０の中央部に集中することによって空間電荷を活用できて低電圧駆動が可能になり、発光効率が向上する効果を得ることができる。
【００４１】
また、プラズマが放電空間２２０の中央部に集中し、放電電極２０６，２０７による電界がプラズマの両側面に形成されるので、電荷が放電空間２２０の中央部に集中して蛍光体２１０へのイオンスパッタリングを基本的に防止しうる。
【００４２】
一旦、このような放電が形成された後にＸ電極２０７とＹ電極２０６間の電圧差が放電電圧より低くなれば、放電はこれ以上発生せず、空間電荷及び壁電荷が放電空間２２０に形成される。この時、Ｘ電極２０７とＹ電極２０６とに印加された電圧の極性をそれぞれ相互変換すれば、壁電荷の助けを受けて放電が再び発生する。次いで、放電が放電空間２２０の全体に拡散されて消滅する。
【００４３】
そして、Ｘ電極２０７とＹ電極２０６の極性を再び変換すれば、最初の放電過程が反復する。このような過程を反復しつつ放電が安定的に発生する。しかし、本発明で放電は必ずしもこれに限定されず、当業者の理解できる範囲内で多様な放電が可能である。
【００４４】
本実施例によるＰＤＰ ２００は、一対の基板２０１，２０２、少なくとも一つ以上の隔壁２０５、放電電極２０６，２０７、アドレス電極２０３と、誘電層２０８、保護層２０９、及び蛍光体層２１０を備える。
【００４５】
前記基板２０１，２０２は、所定間隔離隔されて相互対向するものであって、前面基板２０１と背面基板２０２とを含む。前記隔壁２０５は、前面基板２０１と背面基板２０２間に形成された空間を複数の放電空間２２０に区画する。
【００４６】
前記放電電極２０６，２０７が、アドレス電極２０３との間にアドレス放電を起こして放電空間中で発光しようとする放電空間を選択するＹ電極２０６と、Ｙ電極２０６との間に維持放電を起こすＸ電極２０７と、を備える。前記放電電極２０６，２０７は、隔壁２０５に前面基板２０１から背面基板２０２に向かう基板方向に所定間隔離隔されて平行に配置される。この時、前記放電電極２０６，２０７及び前記アドレス電極２０３が隔壁上の放電空間に向かう面に配置されることが望ましい。
【００４７】
前記アドレス電極２０３は、放電電極２０６，２０７から基板方向に所定間隔離隔されて配置され、放電電極２０６，２０７に対してそれぞれの放電空間２２０を形成する。また、アドレス電極２０３は、図６に示されたように、放電電極２０６，２０７と交互する方向に互いに連結されて、それぞれのＹ電極に順次にスキャンパルスを印加し、発光しようとする放電セルに当るアドレス電極２０３にアドレス電圧を印加して発光しようとする放電セルを選択する。
【００４８】
前記誘電層２０８は、放電電極２０６，２０７及びアドレス電極２０３が配置される隔壁２０５上に塗布される。前記保護層２０９は、誘電層２０８上に形成されて誘電層を保護する。前記蛍光体層２１０は、放電空間の内部に蛍光体が塗布されて形成される。
【００４９】
図４、図７、及び図８のそれぞれの実施例は、Ｘ電極２０７，３０７，４０７、Ｙ電極２０６，３０６，４０６、及びアドレス電極２０３，３０３，４０３それぞれが隔壁２０５，３０５，４０５に配置される実施例であって、それぞれの電極の配置の実施例が示されている。この時、アドレス電極とＹ電極間の距離を近くするためにアドレス電極とＹ電極とは平行に配置されることが望ましい。
【００５０】
図４の実施例の場合には、Ｘ電極２０７、Ｙ電極２０６、及びアドレス電極２０３が、隔壁２０５上の放電空間に向かう面に前面基板２０１から背面基板２０２側にＸ電極２０７、Ｙ電極２０６、及びアドレス電極２０３の順序で配置される。
【００５１】
図７の実施例の場合には、Ｘ電極３０７、Ｙ電極３０６、及びアドレス電極３０３が、隔壁３０５上の放電空間に向かう面に前面基板３０１から背面基板３０２側にアドレス電極３０３、Ｙ電極３０６、及びＸ電極３０７の順序で配置される。
【００５２】
図８の実施例の場合には、Ｘ電極４０７、Ｙ電極４０６、及びアドレス電極４０３が、隔壁４０５上の放電空間に向かう面に前面基板４０１から背面基板４０２側にＸ電極４０７、アドレス電極４０３、及びＹ電極４０６の順序で配置される。この時、Ｙ電極４０６、アドレス電極４０３、及びＸ電極４０７の順序の配置も可能である。
【００５３】
図９ないし図１４はそれぞれ、本発明の望ましい他の実施例であって、ＰＤＰの一つの放電空間を示す断面図である。
【００５４】
図面を参照すれば、図９ないし図１４の実施例は、アドレス電極を放電電極と平行に配置してアドレス電極とＹ電極間の距離を短くして低電圧及び高効率のアドレス放電を可能にするという点で、前述した実施例と類似した実施例である。したがって、前述した実施例と同じ事項については、前述した実施例についての説明を参照し、ここでその詳細な説明は省略する。
【００５５】
図９ないし図１２に示された実施例は、隔壁と前面基板間に隔壁から前面基板方向に延びて形成される上部側壁５１５，６１５，７１５，８１５をさらに備え、Ｙ電極５０６，６０６，７０６，８０６、Ｘ電極５０７，６０７，７０７，８０７、アドレス電極５０３，６０３，７０３，８０３を上部側壁５１５，６１５，７１５，８１５の内部に配置する実施例である。この時、アドレス電極５０３，６０３，７０３，８０３は、それぞれの側壁５１５，６１５，７１５，８１５の内部に基板と平行した方向に２つの電極ラインを配置させて、それぞれの放電空間５２０，６２０，７２０，８２０が選択されるようにした。但し、図１２に示された実施例は、アドレス電極８０３が上部側壁８１５ではない隔壁８０５の内部に配置される実施例を示している。
【００５６】
図１３及び図１４に示された実施例は、Ｙ電極９０６，１００６、Ｘ電極９０７，１００７、アドレス電極９０３，１００３が隔壁９０５，１００５の内部に前面基板９０１，１００１から背面基板９０２，１００２に向かう基板方向に所定間隔離隔されて平行に配置される実施例である。この場合には、Ｙ電極９０６，１００６、Ｘ電極９０７，１００７、アドレス電極９０３，１００３が隔壁内部９０５，１００５に配置されるので、Ｙ電極９０６，１００６、Ｘ電極９０７，１００７、アドレス電極９０３，１００３を互いに絶縁させるための誘電体は不要である。
【００５７】
また、ＰＤＰの高効率駆動のために放電ガスのうちキセノン（Ｘｅ）分圧を高めることが必要である。しかし、放電ガスのうちキセノン分圧が大きくなれば、アドレス放電マージンが小さくなる傾向がある。この場合、本発明によってアドレス電極とＹ電極間の距離を短くすれば、アドレス放電マージンを増やして、放電ガス中のキセノン分圧が大きくなる場合にも有効に使用されうる。
【００５８】
本発明は、図面に示された実施例を参考として説明されたが、これは例示的なものに過ぎず、当業者ならば、これから多様な変形及び均等な他の実施例が可能であることが分かる。したがって、本発明の真の技術的保護範囲は、特許請求の範囲上の技術的思想によって決定されなければならない。
【産業上の利用可能性】
【００５９】
本発明のＰＤＰ構造を採用すれば、低電圧及び高速駆動の可能なＰＤＰを製造しうる。
【図面の簡単な説明】
【００６０】
【図１】通常的な３電極面放電方式のＰＤＰの構造を示す分解斜視図である。
【図２】図１のＰＤＰの単位セルの構成を示す断面図である。
【図３】本発明の望ましい一実施例であって、ＰＤＰの一部を示す分離斜視図である。
【図４】図３のＰＤＰの一つの放電空間を示す断面図である。
【図５】図４のＶ−Ｖ断面を示す断面図である。
【図６】図３の放電電極の連結状態を表す平面図である。
【図７】本発明の望ましい他の実施例であって、ＰＤＰの一つの放電空間を示す断面図である。
【図８】本発明の望ましい他の実施例であって、ＰＤＰの一つの放電空間を示す断面図である。
【図９】本発明の望ましい他の実施例であって、ＰＤＰの一つの放電空間を示す断面図である。
【図１０】本発明の望ましい他の実施例であって、ＰＤＰの一つの放電空間を示す断面図である。
【図１１】本発明の望ましい他の実施例であって、ＰＤＰの一つの放電空間を示す断面図である。
【図１２】本発明の望ましい他の実施例であって、ＰＤＰの一つの放電空間を示す断面図である。
【図１３】本発明の望ましい他の実施例であって、ＰＤＰの一つの放電空間を示す断面図である。
【図１４】本発明の望ましい他の実施例であって、ＰＤＰの一つの放電空間を示す断面図である。
【符号の説明】
【００６１】
２００    ＰＤＰ、
２０１    前面基板、
２０２    背面基板、
２０３    アドレス電極、
２０５    隔壁、
２０５ａ    側面、
２０６    Ｙ電極、
２０７    Ｘ電極、
２０８    側面誘電層、
２０９    保護層、
２１０    蛍光体、
２２０    放電空間。
【図１】
2005166654.tif 000003
【図２】
2005166654.tif 000004
【図３】
2005166654.tif 000005
【図４】
2005166654.tif 000006
【図５】
2005166654.tif 000007
【図６】
2005166654.tif 000008
【図７】
2005166654.tif 000009
【図８】
2005166654.tif 000010
【図９】
2005166654.tif 000011
【図１０】
2005166654.tif 000012
【図１１】
2005166654.tif 000013
【図１２】
2005166654.tif 000014
【図１３】
2005166654.tif 000015
【図１４】
2005166654.tif 000016